(57)【特許請求の範囲】
【請求項１】
折線を対称軸として左右対称に長方形状の立面板２、２'を設け、該立面板２、２'の上下には折線を介して左右対称に３種類の折り曲げ片３ａ、３ｂ、３ｃを設け、さらに一枚の仕切り板４を設けてなり、
前記３種類の折り曲げ片３ａ、３ｂ、３ｃをそれぞれコの字形をなすように折り曲げ、前記立面板２、２'を共通壁とし、その立面板２、２'の中央部で前記端部の折り曲げ片３ｃが重合するように巻き込んで、前記立面板２、２'の内側にそれぞれ２本１組の角筒からなる２つのコーナー枠１１を形成し、さらに前記２つのコーナー枠１１を前記立面板２、２'間の折線を介して前記２本１組の角筒からなるコーナー枠を直角、鋭角または鈍角に屈曲させると共に、前記２つのコーナー枠１１両方の２本１組の角筒間の隙間に前記一枚の仕切り板４を差し込んで組み立てられていることを特徴とするコーナー用緩衝体。
【請求項２】
請求項1の緩衝体において、前記立面板２、２'には切込６を設けて噛み合い溝を有する切起こし片５を形成し、前記端部の折り曲げ片３ｃと、前記仕切り板４には前記立面板２、２'に設けた噛み合い溝に差し込まれて係合する噛み合い溝を設けていることを特徴とするコーナー用緩衝体。
【請求項３】
段ボールシート、板紙などの１枚の紙材料から形成される請求項１〜２のいずれかに記載の緩衝体用ブランクであって、前記左右対称の長方形状の立面板２、２'のいずれか一方の上又は下に設けられた一枚の端の折り曲げ片３ｃの端部に、前記一枚の仕切り板４が連設されていることを特徴とするコーナー用緩衝体のブランク。
【発明の詳細な説明】
【技術分野】
【０００１】
本発明は、例えば４角形状のソーラーパネルを積み重ねて運搬したり、保管する際にその物品の角部と重合面等を保護することができる緩衝体に関する。さらに詳しく述べると、ソーラーパネルの他、建材や家具、浴槽等の商品の傷つきやすい部分に当て使用することができる段ボール製緩衝体に関するものである。
【背景技術】
【０００２】
商品を包装するときに、商品のコーナー部などに当てて使用される緩衝体としては発泡スチロール材等の発泡プラスチック成形品からなるものが一般に知られている。
【０００３】
発泡スチロール等を材料とする緩衝体は、地球環境的に多くの問題点を有している。すなわち化石資源を原材料とするので資源面に限りがあり、リサイクルにも適しておらず、一回限りの使用で廃棄される材料としてはコストがかかりすぎる。
また使用後の減容積が簡単ではなく、廃棄物の収集、処理時に敬遠されやすい。そのうえ焼却処理すると高温のため焼却炉が傷み、焼却炉の寿命は短い。また、ダイオキシンを含んだ有害な煙や煤が発生することが指摘されている。
そこで、発泡プラスチック製品からなる緩衝体に代わる省資源、無公害な緩衝体が検討されつつある。
【０００４】
発泡プラスチック製品ではない緩衝体としては、ソーラーパネル用の緩衝体ではないが、段ボール等の紙を基材とする紙製緩衝体が文献1〜８に記載されている。
また、ソーラーパネルを積み重ねることができると共に、ソーラーパネルのコーナーを保護することができる梱包箱が下記文献９に記載されている。
【０００５】
【特許文献１】実開平１−１２８５６５号公報
【特許文献２】実開平５−７６６１号公報
【特許文献３】実開平６−８２６８号公報
【特許文献４】特開平６−１５６５３３号公報
【特許文献５】実開平７−３３８７７号公報
【特許文献６】特開平９−１１８３６９号公報
【特許文献７】特開平１０−１７０２５号公報
【特許文献８】特開２０００−２４７３６９号公報
【特許文献９】実用新案登録第３０９７１４７公報
【発明の開示】
【発明が解決しようとする課題】
【０００６】
紙製緩衝体は、一般に組立てに際して糊付けしている。しかし糊付けするものは、組立作業および分解作業に手間を要する。段ボールシートから打ち抜いたブランクを組立て使用する段ボール製緩衝体も提案されているが、多くのものはブランクを複数枚組み合わせる必要があって、材料を多く要し、組立てにも手間がかかる欠点があった。
【０００７】
またソーラーパネルは、上下に積み重ねて梱包したものが輸送されるので、積み重ねた製品相互が直接当たることがないようにする必要がある。
【０００８】
本発明はこのような課題を解決するもので、発泡プラスチック製の緩衝体のような有害な煙の発生および焼却炉が焼却により発生する熱により傷むようなことなく、また手作業による組み立てが容易で、緩衝保護効果に優れた省資源、無公害な包装用緩衝体を提供することを目的とするものである。
また本発明の課題は、１枚の段ボールなどのブランクから折り曲げ組立て可能で、商品への取り付けが容易であるとともに堅牢で組立て状態が崩れにくく、かつ商品の角部等を緩衝保護することができる紙製緩衝体を提供することが課題である。
【課題を解決するための手段】
【０００９】
上記の課題を解決するため、本発明の解決手段は次の通りである。
（１）折線を対称軸として左右対称に長方形状の立面板２、２'を設け、該立面板２、２'の上下には折線を介して左右対称に３種類の折り曲げ片３ａ、３ｂ、３ｃを連設し、さらに少なくとも一枚の仕切り板４を設けてなり、前記３種類の折り曲げ片３ａ、３ｂ、３ｃをそれぞれコの字形をなすように折り曲げ、前記立面板２、２'を共通壁とし、その立面板２、２'の中央部で前記端部の折り曲げ片３ｃが重合するように巻き込んで、前記立面板２、２'の内側にそれぞれ２本１組の角筒からなるコーナー枠を形成し、さらに前記２本１組の角筒からなるコーナー枠を前記立面板２、２'間の折線を介して直角、鋭角または鈍角の何れかの角度に折曲げると共に、前記２本１組の角筒間の隙間に前記仕切り板４を差し込んで緩衝体１２が組み立てられていることを特徴とする。
（２）請求項1の緩衝体において、前記立面板２、２'には切込６を設けて噛み合い溝を有する切起こし片５を形成し、前記端部の折り曲げ片３ｃと、前記仕切り板４には前記立面板２、２'に設けた切起こし片５の噛み合い溝に差し込まれて係合する噛み合い溝を設けていることを特徴とする。
(３)段ボールシート、板紙などの１枚の紙材料から形成される請求項１〜２のいずれかに記載の緩衝体用ブランクであって、少なくとも一枚の端の折り曲げ片３ｃの端部に仕切り板４が連設されていることを特徴とする。
【発明の効果】
【００１０】
この構成により、ソーラーパネルなどの被包装物品のコーナー用緩衝体として、１枚の段ボールなどの紙シートから手作業で組み立て容易であり、使用後に焼却処理したときに有害な煙などの発生の心配がなくしかも、ソーラーパネルを積み重ねて運搬したり、保管する際にその物品の角部と重合面等を保護することができる緩衝効果に優れた紙製緩衝体を提供することができる。
【発明を実施するための最良の形態】
【００１１】
以下、本発明の一実施の形態について、図面に基づいて説明する。本発明の好適な実施例であるソーラーパネル包装用紙製緩衝体は、廃棄処理並びにリサイクル処理容易な段ボールシートや紙器用の板紙を材料として打ち抜き機等により打ち抜いた１枚のブランク１で形成されている。
図１は組立て前のブランクを示した平面図。図２〜図５は図1のブランクからセットアップする際の手順を示す説明図である。
【００１２】
先ず、図１の展開図に基いてブランク１の構成を説明する。図１に示した通り、本発明の好適な実施例であるブランク１は、全体が１枚の、平面より見て略L字状に形成されている。図１において、符号２、２'は横に細長い長方形状の立面板であり、折線Aを対称軸として左右対称に設ける。また前記立面板２、２'の上下には、平行な折線Ｘ、Ｙ、Ｚを介して同じく折線Aを対称軸として左右対称に、３種類の同じ細幅の折り曲げ片３ａ，３ｂ，３ｃを連接する。立面板２、２'の外側に折線Ｘを介して連接されている折り曲げ片３ａは平面よりみて台形状に形成されているが、折線Ａ寄りの側縁は折線Ｘに対して略４５度の角度をなすように形成されている。また、中央の折り曲げ片３ｂと端の折り曲げ片３ｃは、長方形であって、前記折り曲げ片３ａより少し小さく形成されている。さらにまた、少なくとも１枚の端の折り曲げ片３ｃの外側に略正方形状をした仕切り板４が連接されている。各立面板２、２'の中央には折線Ｘに一部がかかるように設けた工形の切込み６とその切込みの付け根に設けた折線７とで囲まれて形成した切起こし片５を設ける。この切起こし片５の先端には噛み合い溝８を形成する。そしてこの噛み合い溝８に差し込まれて係合する噛み合い溝９、９'が各折り曲げ片３ｃと仕切り板４の端縁部に設ける。
なお符号１０  は前記仕切り板４に設けたハンドリング孔である。
【００１３】
以上のような構成からなるブランク１を折り曲げて、組み立てることにより、図５に示した４角形状のソーラーパネルを積重ねて運搬したり、保管する際にその物品の角部と重合面等を保護することができる紙製緩衝体を形成することができる。
【００１４】
次にその紙製緩衝体の組立手順を説明する。はじめに各立面板２、２'の中央の切起こし片５、５を折線7より起こしてから、３種類の折り曲げ片３ａ、３ｂ、３ｃをそれぞれコの字形をなすように折り曲げ、前記立面板２、２'を共通壁とし、その立面板２、２'の中央部で前記端部の折り曲げ片３ｃが重合するように巻き込んで、前記立面板２、２'の内側にそれぞれ２本１組の角筒からなるコーナー枠１１を形成する。この作業の後又は略同時に前記２本１組の角筒からなるコーナー枠１１間の隙間に前記仕切り板４を差し込む。その際、切起こし片５の先端の噛み合い溝８に折り曲げ片３ｃの噛み合い溝９と仕切り板４の噛み合い溝９'を差し込み係合する。続いて、前記２組のコーナー枠１１を前記立面板２、２'間の折線Ａを介して略直角の角度に折曲げ、折線Ａを挟んで左右の折り曲げ片３ａ，３ｂ，３ｃを互いに突き当てるようにする。
【００１５】
図５が組立状態を示している。図のように、２本１組の角筒からなるコーナー枠１１はコの字形をなすように折り曲げて固定されているとともに堅牢で組立て成形状態が崩れることなく維持できる。また、折り曲げ片３ａ、３ｂ、３ｃの間に差し込んでいる仕切り板４は外れにくく、また折線Ａを挟んで略直角に屈曲させた前記２組のコーナー枠１１、１１は互いの角度が開いたりすることもなく、所定角度を維持できる。
【００１６】
図６は使用状態の説明図である。図６の（２）のように、４角形状のソーラーパネル（以下製品という）の各コーナー部の外側から本発明緩衝体のコーナー枠１１を添わせてセットする。この場合、仕切り板４は製品の上面に来るように当てがわれる。仕切り板４の周囲のコーナー枠１１には、上下の製品のコーナー部が当接して荷崩れしないように製品の固定が行われる。また製品を重ねて運搬するときは、前記仕切り板４の上側に２段目の製品を載置すれば、仕切り板４の厚み分だけ上下製品間に空間を生じて製品相互が直接密着することがないので、段ボール材の緩衝効果とともに製品の有効な保護が図れる。
【００１７】
以上述べた実施の形態では４角形状のソーラーパネルのコーナー部に当てがって使用したが、ソーラーパネル以外に建材や家具、浴槽、その他の物品のコーナー部などに当てがって使用することもできる。
【００１８】
なお、本実施の形態のコーナー枠１１、１１は前記立面板２、２'間の折線Ａを挟んで略直角に屈曲させて使用するが、被包装物（製品）によっては、台形状に形成されている折り曲げ片３ａの折線Ａ寄りの側縁の角度を変更して、直角以外の、鋭角または鈍角の何れかの角度に折曲げて使用することもある。また、本実施の形態のブランクは、少なくとも一枚の端の折り曲げ片３ｃの端部に仕切り板４が一体的に連設されているが、折り曲げ片３ｃと仕切り板４とを分離してもよい。
【００１９】
なお、図７は本実施例のブランク１を２丁取りする面付け説明図である。図からも明らかなように、２枚のブランク１を交互に面付けすると、１枚の段ボールシートより打ち抜く際に、使用材料の無駄を少なくし、経済的にブランクを２丁取りできるものである。
【図面の簡単な説明】
【００２０】
【図１】本発明の一実施の形態における段ボール製緩衝体の展開図である。
【図２】同緩衝体の組み立て途中の状態を示す斜視図である。
【図３】同緩衝体のさらに進んだ組み立て途中の状態を示す斜視図である。
【図４】同緩衝体のさらに進んだ組み立て途中の状態を示す斜視図である。
【図５】同緩衝体の組み立て完成状態の斜視図である。
【図６】使用状態の説明図で、（１）は同緩衝体をソーラーパネルのコーナー部にセットする前の状態、（２）は１枚目セット状態、（３）は２枚目セット状態である。
【図７】本実施例のブランクを２丁取りする説明図である。
【符号の説明】
【００２１】
1  ブランク
２、２'  立面板
３ａ，３ｂ，３ｃ  折り曲げ片
4  仕切り板
５  切起こし片
６  切込
７折線
８、９  ９'噛み合い溝
10  ハンドリング孔
11  コーナー枠
12  コーナー用緩衝体
【図１】
0005026176.tif 000002
【図２】
0005026176.tif 000003
【図３】
0005026176.tif 000004
【図４】
0005026176.tif 000005
【図５】
0005026176.tif 000006
【図６】
0005026176.tif 000007
【図７】
0005026176.tif 000008